(57)【特許請求の範囲】
【請求項１】
行列状に配置された太陽電池モジュールの識別情報を収集する識別情報収集システムであって、
前記太陽電池モジュール上を行方向に移動する本体部と、前記本体部を太陽電池モジュールの行方向に案内するガイド部と、前記太陽電池モジュールに取り付けられた標識から識別情報を読み取る読取部とを有する読取装置と、
前記識別情報を各々の太陽電池モジュールの配置位置と対応付けて管理する管理装置とを備え、
前記読取装置を移動させながら前記識別情報を読み取り、読み取った識別情報を前記管理装置に送信するとともに、
前記読取部を複数備え、行列状に配置された太陽電池モジュールの各々の行の識別情報を、対応する各々の読取部が読み取るようにし、
前記複数の読取部による識別情報の同時読取を防止する同時読取防止手段を設け、
前記同時読取防止手段が、前記複数の読取部の行方向の位置を、それぞれ異なるように配置したものであることを特徴とする識別情報収集システム。
【請求項２】
行列状に配置された太陽電池モジュールの識別情報を収集する識別情報収集システムであって、
前記太陽電池モジュール上を行方向に移動する本体部と、前記本体部を太陽電池モジュールの行方向に案内するガイド部と、前記太陽電池モジュールに取り付けられた標識から識別情報を読み取る読取部とを有する読取装置と、
前記識別情報を各々の太陽電池モジュールの配置位置と対応付けて管理する管理装置とを備え、
前記読取装置を移動させながら前記識別情報を読み取り、読み取った識別情報を前記管理装置に送信するとともに、
前記本体部に軸受を介して中央部が突出した車輪を回転可能に取り付け、前記車輪の突出部を隣接する太陽電池モジュールの隙間に挿入するようにしたことを特徴とする識別情報収集システム。
【請求項３】
前記読取部の周囲に影を発生させる太陽光防止傘を設けたことを特徴とする請求項１又は請求項２に記載の識別情報収集システム。
【請求項４】
前記太陽電池モジュールの各々について、識別情報の読み取り失敗を通知することを特徴とする請求項１又は請求項２に記載の識別情報収集システム。
【請求項５】
前記太陽電池モジュールの各々の列について、列内のすべての識別情報の読み取り完了を通知することを特徴とする請求項１又は請求項２に記載の識別情報収集システム。
【発明の詳細な説明】
【技術分野】
【０００１】
本発明は、太陽光発電システムにおいて、設置された太陽電池モジュールの識別情報を収集する識別情報収集システムに関するものである。
【背景技術】
【０００２】
太陽光発電システムにおいては、複数の太陽電池モジュール（「太陽電池パネル」、「ソーラーパネル」ともいう。）が設置されている。図１３は、太陽光発電システムにおける太陽電池モジュールの設置状態を示す図である。複数の太陽電池モジュール１００は、行列状に配置されており、また架台２０１，２０２，２０３により、太陽の向きに合わせて若干傾斜して配置されている。
【０００３】
ところで、太陽光発電システムの設置工事においては、設置した各々の太陽電池モジュールについて、その型名や製造番号等の識別情報と配置位置とを対応付けて管理する必要がある。これは、例えば設置した太陽電池モジュールについて、あるロット単位で製品不良が発生した場合に、交換すべき太陽電池モジュールの配置位置を特定できるようにしておくためである。
【０００４】
各々の太陽電池モジュールの表面には、例えば図１４に示すように、型名や製造番号等の識別情報を示すバーコードが貼付されている。そこで、従来は、太陽電池モジュールを設置した後で、各々の太陽電池モジュールに貼付されたバーコードを、人手により１つ１つ読み取りながら、配置位置と対応付けて管理していた。
【０００５】
一方、特許文献１には、作業員が携帯して使用するメンテナンス端末２により、太陽電池パネル１の識別情報を取得するとともに、メンテナンス端末２の位置を示す位置情報を太陽電池パネル１の位置情報として取得するようにした太陽光発電システムに関する発明が記載されている。
【先行技術文献】
【特許文献】
【０００６】
【特許文献１】特開２０１１−１８１８５３号公報
【発明の概要】
【発明が解決しようとする課題】
【０００７】
しかしながら、太陽光発電システムにおける太陽電池モジュールの数は、設置場所によっては数千〜数万枚に達し、従来のように各々の太陽電池モジュールに貼付されたバーコードを人手により１つ１つ読み取る方法では、作業量が膨大になっていた。
【０００８】
また、特許文献１に記載された発明によれば、メンテナンス端末の位置情報を太陽電池パネルの位置情報として利用することはできるが、太陽電池パネルの識別情報自体は、人手により１つ１つ読み取らなければならない。
【０００９】
本発明は、上記従来の課題を解決するものであり、設置した各々の太陽電池モジュールの識別情報を容易に収集して管理することの可能な識別情報収集システムを提供するものである。
【課題を解決するための手段】
【００１０】
上記課題を解決するため、本発明の識別情報収集システムは、行列状に配置された太陽電池モジュールの識別情報を収集する識別情報収集システムであって、前記太陽電池モジュール上を行方向に移動する本体部と、前記本体部を太陽電池モジュールの行方向に案内するガイド部と、前記太陽電池モジュールに取り付けられた標識から識別情報を読み取る読取部とを有する読取装置と、前記識別情報を各々の太陽電池モジュールの配置位置と対応付けて管理する管理装置とを備え、前記読取装置を移動させながら前記識別情報を読み取り、読み取った識別情報を前記管理装置に送信することを特徴とする。
【００１１】
また好ましくは、前記読取部を複数備え、行列状に配置された太陽電池モジュールの各々の行の識別情報を、対応する各々の読取部が読み取るようにしたことを特徴とする。
【００１２】
また好ましくは、前記複数の読取部による識別情報の同時読取を防止する同時読取防止手段を設けたことを特徴とする。
【００１３】
また好ましくは、前記読取部の周囲に影を発生させる太陽光防止傘を設けたことを特徴とする。
【００１４】
また好ましくは、前記ガイド部を前記本体部の両端に設けたことを特徴とする。
【００１５】
また好ましくは、前記ガイド部を前記本体部の片端に設けたことを特徴とする。
【００１６】
また好ましくは、前記太陽電池モジュールの各々について、識別情報の読み取り失敗を通知することを特徴とする。
【００１７】
また好ましくは、前記太陽電池モジュールの各々の列について、列内のすべての識別情報の読み取り完了を通知することを特徴とする。
【発明の効果】
【００１８】
本発明の識別情報収集システムによれば、読取装置が、行列状に配置された太陽電池モジュール上を行方向に移動する本体部と、本体部を太陽電池モジュールの行方向に案内するガイド部と、太陽電池モジュールに取り付けられた標識から識別情報を読み取る読取部とを有するので、ガイド部に合わせて本体部を移動させるだけで、配置された太陽電池モジュールの識別情報を読取部によって次々に読み取ることができる。また、管理装置により、識別情報を各々の太陽電池モジュールの配置位置と対応付けて管理することができる。従って、読取装置を移動させながら識別情報を読み取り、読み取った識別情報を管理装置に送信することで、太陽電池モジュールの識別情報を容易に収集することができる。
【００１９】
また、読取部を複数備え、行列状に配置された太陽電池モジュールの各々の行の識別情報を、対応する各々の読取部が読み取ることにより、複数の行に配置された太陽電池モジュールの識別情報を容易に収集することができる。
【００２０】
また、複数の読取部による識別情報の同時読取を防止する同時読取防止手段を設けることにより、読取部によって読み取られた識別情報が管理装置へ同時送信されることによるデータの欠落等を防止することができる。
【００２１】
また、読取部の周囲に影を発生させる太陽光防止傘を設けることにより、読取部がバーコードリーダーである場合に、日射による影響を抑えて屋外での読取部の読取精度を高めることができる。
【００２２】
また、ガイド部を本体部の両端に設けることにより、太陽電池モジュールを両端のガイド部によって挟み込んで、安定的に読取装置を移動することができる。
【００２３】
また、ガイド部を本体部の片端に設けることにより、読取装置をより簡略化するとともに、太陽電池モジュールの配置形状に臨機応変に対応することができる。
【００２４】
また、太陽電池モジュールの各々について、識別情報の読み取り失敗を通知することにより、太陽電池モジュール１つずつの識別情報の読み取りを確実に行うことができる。
【００２５】
また、太陽電池モジュールの各々の列について、列内のすべての識別情報の読み取り完了を通知することにより、読み取り中の列について漏れなく識別情報を読み取ることができるとともに、次の列への移動をスムーズに行うことができる。
【００２６】
以上、本発明によれば、設置した各々の太陽電池モジュールの識別情報を容易に収集して管理することの可能な識別情報収集システムを提供することができる。
【図面の簡単な説明】
【００２７】
【図１】本発明の実施形態に係る識別情報収集システムを示す平面図である。
【図２】ガイド部を示す断面図である。
【図３】ガイド部を示す断面図である。
【図４】読取部を示す正面図である。
【図５】読取部を示す側面図である。
【図６】識別情報収集システムの使用状態を示す平面図である。
【図７】管理装置の表示画面を示す図である。
【図８】管理票を示す図である。
【図９】太陽光防止傘を示す正面図である。
【図１０】太陽光防止傘を示す正面図である。
【図１１】他の実施形態に係る本体部の支持構造を示す正面図である。
【図１２】他の実施形態に係る識別情報収集システムの読取装置を示す平面図である。
【図１３】太陽電池モジュールの設置状態を示す図である。
【図１４】太陽電池モジュールに取り付けられた標識（バーコード）を示す図である。
【図１５】識別情報収集処理を示すフローチャートである。
【発明を実施するための形態】
【００２８】
次に、図１乃至図１５を参照して、本発明の実施形態に係る識別情報収集システムについて説明する。図１は、本実施形態に係る識別情報収集システムを示す平面図である。識別情報収集システムは、行列状に配置された太陽電池モジュールの識別情報を収集するものである。なお、本実施形態において、「行」とは横方向のまとまりをいい、「列」とは縦方向のまとまりをいう。図１３を参照して説明すると、右下を起点として上方向に１行目、２行目、３行目となり、左方向に１列目、２列目、３列目、・・・となる。例えば太陽電池モジュール１２３は、２行３列に配置されていることを示している。
【００２９】
識別情報収集システムは、読取装置１０及び管理装置５０から構成されている。読取装置１０は、太陽電池モジュール上を移動しながら、各々の太陽電池モジュールに取り付けられた標識から、型名や製造番号等の識別情報を読み取るものである。読取装置１０は、主として本体部１１、ガイド部１２，１３、及び読取部１５，１７，１９から構成されている。なお、本実施形態では、太陽電池モジュールに取り付けられた標識は、図１４に示すバーコードであり、読取部１５，１７，１９はバーコードリーダーである。
【００３０】
本体部１１は長尺状の部材であり、両端部にガイド部１２及びガイド部１３が取り付けられている。ガイド部１２，１３は、本体部１１を太陽電池モジュールの行方向に案内するものであり、複数の車輪１，２を備えている。なお、本体部１１を伸縮可能とするか、あるいは本体部１１に対するガイド部１２，１３の取付位置を移動可能とすることにより、ガイド部１２とガイド部１３との間隔を調整できるようにすることが好ましい。また、本体部１１を伸縮可能とし、縮めた状態でトラック等に積載できるようにすれば、現場への運搬が容易な可搬型装置として構成することができる。
【００３１】
図２は、ガイド部１２を示すものであり、図１のＡ−Ａ断面図である。図３は、ガイド部１３を示すものであり、図１のＢ−Ｂ断面図である。ガイド部１２，１３は、断面Ｌ字状の部材であり、軸受３を介して複数の車輪１，２が回転可能に取り付けられている。そして、車輪１は、使用時に太陽電池モジュール１００の側面を走行するようになっている。また、車輪２は、使用時に太陽電池モジュール１００の上面を走行するようになっている。
【００３２】
読取部（バーコードリーダー）１５，１７，１９は、それぞれ支持部材１４，１６，１８を介して、本体部１１に取り付けられている。読取部１５，１７，１９の縦方向（本体部１１の長手方向）の位置は、使用時の太陽電池モジュールの標識の位置に応じて調整可能となっている。また、読取部１５，１７，１９は、それぞれの支持部材１４，１６，１８に対して移動可能になっており、横方向（図１における左右方向）の位置調整ができるようになっている。読取部１５，１７，１９は、行列状に配置された太陽電池モジュール１００の各々の行に対応するようになっており、それぞれ対応する行の識別情報を読み取るようになっている。
【００３３】
ここで、読取部１５，１７，１９の横方向（図１における左右方向）の位置を、それぞれ異なるように配置することが好ましい。図１では、読取部１５は本体部１１に対して左側にあり、読取部１７は本体部１１に対して右側にあり、読取部１９は読取部１７よりもさらに右側にある。この配置は、同時読取防止手段を構成するものであり、本体部１１を移動させたときに、行列状に配置された太陽電池モジュールの各々の列において、３つの読取部１５，１７，１９が識別情報を同時に読み取ることのないように、読み取るタイミングをずらすようにしたものである。これにより、読取部によって読み取られた識別情報が管理装置へ同時送信されることによるデータの欠落等を防止することができる。
【００３４】
図４及び図５は、読取部１５（１７，１９）を示す正面図及び側面図である。読取部１５（１７，１９）を支持する支持部材１４（１６，１８）の先端には、下端にスライド部５を有する脚部４が取り付けられている。この脚部４は、使用時に本体部１１の中間部分が下方に撓む場合を考慮して、読取部１５（１７，１９）が太陽電池モジュール１００の上面に当接しないように、読取装置１０を支持するためのものである。使用時には、スライド部５が太陽電池モジュール１００の上面をスライドしながら読取装置１０が移動するようになっている。
【００３５】
なお、図１に示す読取装置１０では、ガイド部を本体部１１の両端（上下）に設けてある。このように、ガイド部を両端に設けることにより、後述するように、行列状に配置された太陽電池モジュール１００を両端のガイド部１２，１３によって、上下方向から挟み込むようにセットすることができるので、より安定的に読取装置１０を移動することができる。
【００３６】
一方で、ガイド部を本体部１１の片端のみに設けるようにしてもよい。例えば、本体部１１の上側のガイド部１２のみとし、下側のガイド部１３を省略することができる。太陽電池モジュール１００は、図１３に示すように若干傾斜して設定されるため、上側だけにガイド部を設けても、本体部を案内することが可能であり、読取装置１０をさらに簡略化することができる。また、太陽電池モジュールの設置場所の形状等によっては、下側の太陽電池モジュールが部分的に配置されていない（歯抜け状態になっている）場合がある。そのような場合には、下側にガイド部があっても走行不可能になり、かえって移動がしにくくなるため、上側だけにガイド部を設けることが有効である。このときには、上側のガイド部１２と、読取部１５（１７，１９）に取り付けられた支持部材１４（１６，１８）により、読取装置１０を支持すればよい。このように、ガイド部を片端のみに設ければ、太陽電池モジュールの配置形状に臨機応変に対応することができる。
【００３７】
なお、本体部１１、ガイド部１２，１３支持部材１４，１６，１８は、金属や樹脂等の任意の材料により構成することができる。
【００３８】
管理装置５０は、太陽電池モジュール１００の識別情報を各々の太陽電池モジュールの配置位置と対応付けて管理するものであり、例えば、読取装置で読み取られた識別情報が送信されると、配置位置と識別情報を対応させた表形式の管理票を作成するソフトウェアを備えたタブレット端末を用いることができる。なお、タブレット端末であれば高性能で携帯性が高く作業に適しているが、これ以外にもノートパソコンやスマートフォン等の任意の情報処理装置を用いることができる。
【００３９】
読取装置１０と管理装置５０との間は、有線接続及び無線接続のどちらでも構成することができる。有線接続とした場合には、無線中継装置等を設ける必要がないため、読取装置１０の構成がシンプルになる。また、読取部への電源供給もデータ送受信とともに行うことができる。一方、無線接続とした場合には、読み取った識別情報の無線信号への変換装置や、無線信号の中継装置、読取部への電源供給装置等を設ける必要はあるが、読取装置１０と管理装置５０とを離れた位置で操作することができるため、作業の自由度が高まる。
【００４０】
次に、図６乃至図８を参照して、本実施形態に係る識別情報収集システムの使用方法について説明する。まず、図６に示すように、行列状に配置された太陽電池モジュール１００（１１１、１１２、１１３、・・・、１２１、１２２、１２３、・・・、１３１、１３２、１３３、・・・）に、読取装置１０をセットする。このとき、読取装置１０のガイド部１２を３行目第１列の太陽電池モジュール１３１の上端部に合わせ、ガイド部１３を１行目第１列の太陽電池モジュール１１１の下端部に合わせるようにする。言い換えれば、読取装置１０のガイド部１２，１３によって、行列状に配置された太陽電池モジュール１００を上下方向から挟み込むようにセットする。そして、読取装置１０を矢印の方向に移動させる。移動は、例えば読取装置１０を支持しながら人手によって行うようにすればよい。もちろん読取装置１０に自走機能を備えてもよい。なお、図６は、読取装置１０が２列目に移動した状態を示している。
【００４１】
読取装置１０が図６に示す左方向に移動すると、第１列から順番に各々の列において、読取部１５，１７，１９が識別情報を読み取る。すなわち、第１列では、読取部１５がモジュール１１１、読取部１７がモジュール１２１、読取部１９がモジュール１３１の各々の識別情報を読み取る。次に第２列に移動すると、読取部１５がモジュール１１２、読取部１７がモジュール１２２、読取部１９がモジュール１３２の各々の識別情報を読み取る。これを順次繰り返す。このように、読取部１５，１７，１９は、それぞれ第１行、第２行、第３行に対応し、対応する行の識別情報を担当して読み取るようになっている。
【００４２】
読取装置１０が読み取った各々の列の識別情報は、有線又は無線により管理装置５０に送信される。このとき、管理装置５０の画面上には、図７に示すような表示画面５１が表示される。表示画面５１には、行列状に配置された太陽電池モジュール１００が示されており、網掛け部分（又はカラー表示）は現在読み取り中の列を示している。なお、各列の読み取りが完了すると読取確認音が出るようにするとよい。また、読み取りが失敗したときには読取失敗音が出るようにするとよい。
【００４３】
管理装置５０に送信された識別情報は、図８に示すような、配置位置と識別情報を対応させた表形式の管理票５２にまとめられる。管理票５２は、太陽電池モジュールのまとまりを示す「アレイ番号」、配置位置を示す「縦」、「横」の表示、「項目１」、「項目２」、「項目３」、・・・、及び「識別情報」から構成されている。各項目欄には、操作者が、ＰＣＳ（パワーコンディショナー）名称、集電箱名称、接続箱名称、ストリング回路番号等を適宜入力することができ、識別情報欄には読取装置１０によって読み取られて送信された識別情報が自動的に入力される。以上により、読取装置１０を移動させながら識別情報を読み取り、読み取った識別情報を管理装置５０に送信することで、太陽電池モジュール１００の識別情報を容易に収集することができる。なお、管理装置５０における識別情報の管理方法は、太陽電池モジュールの配置位置と対応付けて管理されるものであれば、出力形式等は特に限定されない。
【００４４】
次に、本実施形態に係る識別情報収集システムの識別情報収集処理の一例について、図１５のフローチャートを参照して詳細に説明する。以下に説明する処理は、太陽電池モジュールの任意の列において、１つずつの太陽電池モジュールの識別情報の読み取りを繰り返し、列内のすべての識別情報の読み取りが完了すると、次の列へと移動していく流れを示すものである。
【００４５】
まず、操作者は、読取装置１０による読取方向を選択する（ステップＳ１０１）。上述した図６においては、右から左方向に読取装置１０を移動して識別情報を読み取る方法を示しているが、使用状況によっては左から右方向に読み取る場合もある。そのため、図７に示す管理装置５０の表示画面５１から読取方向表示５３を選択し、必要に応じて読取方向の表示を反転させる。
【００４６】
次に、操作者は、読取情報の文字数Ｎ及び読取文字フォーマットを管理装置５０に入力する（ステップＳ１０２）。ここでいう読取文字フォーマットとは、数字や文字の小文字、大文字の順序をいう。
【００４７】
次に、操作者は、読取装置１０を移動させて、読み取りたい列の太陽電池モジュールの識別情報を読取部１５，１７，１９で読み取る（ステップＳ１０３）。読取部１５，１７，１９は、読み取った識別情報の前後に符号を付加し、管理装置５０に識別情報データとして送信する（ステップＳ１０４）。例えば、１行目の太陽電池モジュールの識別情報データには、先頭に“ａ＊”を付加し、語尾には“＊”を付加する。また、２行目の太陽電池モジュールの識別情報データには、先頭に“ｂ＊”を付加し、語尾には“＊”を付加する。また、３行目の太陽電池モジュールの識別情報データには、先頭に“ｃ＊”を付加し、語尾には“＊”を付加する。なお、読取部１５，１７，１９による識別情報の読み取りは、誤読み取りを防ぐため複数回行うとよい。
【００４８】
次に、管理装置５０は、送信された識別情報データの符号に基づいて、識別情報データを行ごとに整理する（ステップＳ１０５）。すなわち、先頭のアルファベット１文字で行番号を判定し、これに続く“＊”から語尾の“＊”までの間の文字情報を識別情報として認識する。
【００４９】
次に、管理装置５０は、読み取った識別情報データの文字数（“＊”〜“＊”の間の文字数）をｎとして認識し（ステップＳ１０６）、ステップＳ１０２で入力した文字数Ｎと比較する（ステップＳ１０７）。Ｎ≠ｎであれば、読み取り失敗と判断し、読み取った識別情報データを削除し（ステップＳ１０８）、エラー音を発報する（ステップＳ１０９）。操作者は、エラー音を確認すると、読み取りに失敗した太陽電池モジュールの識別情報の再読み取りを行う（ステップＳ１０３）。Ｎ＝ｎであれば、次のステップに進む。
【００５０】
次に、管理装置５０は、読み取った識別情報データのフォーマットと、ステップＳ１０２で入力した読取文字フォーマットとを比較する（ステップＳ１１０）。両者のフォーマットが異なれば、読み取り失敗と判断し、読み取った識別情報データを削除し（ステップＳ１０８）、エラー音を発報する（ステップＳ１０９）。操作者は、エラー音を確認すると、読み取りに失敗した太陽電池モジュールの識別情報の再読み取りを行う（ステップＳ１０３）。両者のフォーマットが同一であれば、次のステップに進む。
【００５１】
次に、管理装置５０は、読み取った識別情報データが、同一行において既に読み取った識別情報データと重複しているかどうかを比較する（ステップＳ１１１）。例えば、現在１行５列目の識別情報を読み取っている場合には、既に読み取った識別情報データのうち前２列分の１行４列目と１行３列目の識別情報データと比較する。また、いったん７列目まで読み込んだ後、何らかの事情で５列目まで戻って再読み取りを行う場合には、既に読み取った識別情報データのうち前２列分の１行４列目と１行３列目、後２列分の１行６列目と１行７列目の識別情報データと比較する。このようにして、同一行においてデータの重複が生じないようにする。なお、前後何列まで比較対象とするかは、適宜設定することができる。データが重複していれば、読み取り失敗と判断し、読み取った識別情報データを削除し（ステップＳ１０８）、エラー音を発報する（ステップＳ１０９）。操作者は、エラー音を確認すると、読み取りに失敗した太陽電池モジュールの識別情報の再読み取りを行う（ステップＳ１０３）。データが重複していなければ、次のステップに進む。
【００５２】
次に、管理装置５０は、図７に示す管理装置５０の表示画面５１のカーソル内（＝現在読み取り中の列を示す網掛け部分）における、該当する行の太陽電池モジュールの位置に読み取った識別情報を表示する（ステップＳ１１２）。
【００５３】
次に、管理装置５０は、現在読み取り中の列において、列内のすべての太陽電池モジュールの識別情報が取得されたかどうかを判断する（ステップＳ１１３）。すべての太陽電池モジュールの識別情報が取得されて、表示画面５１のカーソル内のすべての位置に識別番号が表示されると、読取完了音を発報し（ステップＳ１１４）、次の列にカーソルが移動する（ステップＳ１１５）。
【００５４】
現在読み取り中の列において、まだ識別番号を読み取っていない太陽電池モジュールがある場合には、読取完了音が発報されず、またカーソルも移動しない。そこで操作者は、ステップ１０３に戻って、読取装置１０により該当する太陽電池モジュールの識別情報の読み取りを行う。
【００５５】
このようにして、１列分の識別情報の読み取りが完了するので、同様に次の列の識別番号の読み取りを行う。
【００５６】
太陽電池モジュールの各々について、識別情報の読み取り失敗を通知する方法は、上記のようにエラー音の発報でもよいし、警告画面を表示するなど他の通知方法でもよい。また、太陽電池モジュールの各々の列について、列内のすべての識別情報の読み取り完了を通知する方法は、上記のように読取完了音の発報でもよいし、完了画面を表示するなど他の通知方法でもよい。
【００５７】
なお、本実施形態に係る識別情報収集システムは太陽照射下での使用が前提であるが、基本的にバーコードリーダーは屋内での使用を前提としており、日射による影響を考慮していない。従って、例えば図９及び図１０に示すような、太陽光防止傘６，７を設けることが好ましい。太陽光防止傘６，７は、読取部１５（１７，１９）の周囲に影を発生させるものであり、太陽光によってバーコードリーダーが読み取りに失敗するのを抑制することができ、バーコードリーダーの温度上昇も抑制することができる。
【００５８】
さらに、太陽光防止傘６，７の表面に反射材を設けることが好ましい。反射材により太陽光を反射して、読取部１５（１７，１９）の温度上昇をさらに抑制することができる。
【００５９】
また、読取部１５（１７，１９）に角度調整機構を設けることが好ましい。太陽電池モジュールへの標識の取付状態や標識の種類によっては、読取部の角度を変更する必要があるためである。
【００６０】
図１１は、他の実施形態に係る本体部１１の支持構造を示す正面図である。本体部１１に軸受９，９を介して車輪８を回転可能に取り付ける。車輪８は、中央部が突出しており、この突出部を隣接する太陽電池モジュール１００，１００の隙間に挿入する。このようにして、本体部１１を支持することにより、読取装置１０の使用時の安定性を高めることができる。
【００６１】
図１２は、他の実施形態に係る識別情報収集システムの読取装置２０を示す平面図である。読取装置２０は、読取装置１０とほぼ同一の構成であるが、本体部２１を２本の長尺部材２１ａ，２１ｂにより構成した点が異なっている。ガイド部２１，２２、及び読取部２５，２７，２９を取り付けるための支持部材２４，２６，２８は、２本の長尺部材２１ａ，２１ｂを接続するように配置され、全体として梯子状に構成されている。読取装置２０のように構成することにより、装置全体の剛性を高めて使用時の安定性を高めることができる。
【００６２】
本実施形態に係る識別情報収集システムによれば、読取装置１０が、行列状に配置された太陽電池モジュール１００上を行方向に移動する本体部１１と、本体部１１を太陽電池モジュール１００の行方向に案内するガイド部１２，１３と、太陽電池モジュール１００に取り付けられた標識３００から識別情報を読み取る読取部１５，１７，１９とを有するので、ガイド部１２，１３に合わせて本体部１１を移動させるだけで、配置された太陽電池モジュール１００の識別情報を読取部１５，１７，１９によって次々に読み取ることができる。また、管理装置５０により、識別情報を各々の太陽電池モジュール１００の配置位置と対応付けて管理することができる。従って、読取装置１０を移動させながら識別情報を読み取り、読み取った識別情報を管理装置５０に送信することで、太陽電池モジュール１００の識別情報を容易に収集することができる。
【００６３】
また、読取部１５，１７，１９を複数備え、行列状に配置された太陽電池モジュール１００の各々の行の識別情報を、対応する各々の読取部１５，１７，１９が読み取ることにより、複数の行に配置された太陽電池モジュール１００の識別情報を容易に収集することができる。
【００６４】
また、複数の読取部１５，１７，１９による識別情報の同時読取を防止する同時読取防止手段を設けることにより、読取部１５，１７，１９によって読み取られた識別情報が管理装置５０へ同時送信されることによるデータの欠落等を防止することができる。
【００６５】
また、ガイド部１２，１３を本体部１１の両端に設けることにより、太陽電池モジュール１００を両端のガイド部１２，１３によって挟み込んで、安定的に読取装置１０を移動することができる。
【００６６】
また、ガイド部１２を本体部１１の片端に設けることにより、読取装置１０をより簡略化するとともに、太陽電池モジュール１００の配置形状に臨機応変に対応することができる。
【００６７】
また、太陽電池モジュール１００の各々について、識別情報の読み取り失敗を通知することにより、太陽電池モジュール１つずつの識別情報の読み取りを確実に行うことができる。
【００６８】
また、太陽電池モジュール１００の各々の列について、列内のすべての識別情報の読み取り完了を通知することにより、読み取り中の列について漏れなく識別情報を読み取ることができるとともに、次の列への移動をスムーズに行うことができる。
【００６９】
また、読取部１５，１７，１９の周囲に影を発生させる太陽光防止傘６，７を設けることにより、読取部１５，１７，１９がバーコードリーダーである場合に、日射による影響を抑えて屋外での読取部１５，１７，１９の読取精度を高めることができる。
【００７０】
また、太陽光防止傘６，７の表面に反射材を設けることにより、日射による屋外での読取部１５，１７，１９の温度上昇を抑制することができる。
【００７１】
また、読取部１５，１７，１９の角度調整機構を設けることにより、太陽電池モジュール１００への標識３００の取付状態等に合わせて読取部１５，１７，１９の角度を変更して読取精度を高めることができる。
【００７２】
また、読取装置１０と管理装置５０とを有線接続することにより、読み取った識別情報を有線により送信することができ、無線中継装置等を設ける必要がない。
【００７３】
また、読取装置１０と管理装置５０とを無線接続することにより、読み取った識別情報を無線により送信することができ、読取装置１０と管理装置５０とを離れた位置で操作することができる。
【００７４】
以上、本実施形態に係る識別情報収集システムによれば、設置した各々の太陽電池モジュール１００の識別情報を容易に収集して管理することができる。
【００７５】
以上、本発明の実施形態に係る識別情報収集システムについて説明したが、本発明は上述した実施の形態に限定されるわけではなく、以下のようにその他種々の変更が可能である。
【００７６】
太陽電池モジュールの標識と読取部の組み合わせは、バーコードとバーコードリーダーに限定されるものではなく、例えばＩＣタグとＩＣタグリーダーのような他の規格であってもよい。
【００７７】
本体部を案内するガイド部の構成は、車輪を用いたものに限定されるものではなく、例えばガイドレール上をスライドするような構成であってもよい。
【００７８】
読取装置に取り付ける読取部の数は特に限定されるものではなく、対象となる太陽電池モジュールの行の数に対応できればよい。
【００７９】
複数の読取部による識別情報の同時読取を防止する同時読取防止手段は、本実施形態のように読取装置の構成による機械的な手段の他に、例えばソフトウェアによる情報処理によって実現してもよい。
【符号の説明】
【００８０】
１  車輪
２  車輪
３  軸受
４  脚部
５  スライド部
６  太陽光防止傘
７  太陽光防止傘
８  車輪
９  軸受
１０  読取装置
１１  本体部
１２  ガイド部
１３  ガイド部
１４  支持部材
１５  読取部
１６  支持部材
１７  読取部
１８  支持部材
１９  読取部
２０  読取装置
２１  本体部
２２  ガイド部
２３  ガイド部
２４  支持部材
２５  読取部
２６  支持部材
２７  読取部
２８  支持部材
２９  読取部
５０  管理装置
５１  表示画面
５２  管理票
５３  読取方向表示
１００  太陽電池モジュール
２０１  架台
２０２  架台
２０３  架台
３００  バーコード
【図１】
0006272206.tif 000002
【図２】
0006272206.tif 000003
【図３】
0006272206.tif 000004
【図４】
0006272206.tif 000005
【図５】
0006272206.tif 000006
【図６】
0006272206.tif 000007
【図７】
0006272206.tif 000008
【図８】
0006272206.tif 000009
【図９】
0006272206.tif 000010
【図１０】
0006272206.tif 000011
【図１１】
0006272206.tif 000012
【図１２】
0006272206.tif 000013
【図１３】
0006272206.tif 000014
【図１４】
0006272206.tif 000015
【図１５】
0006272206.tif 000016